(57)【要約】      （修正有）【課題】紙幣に紛れて取り込まれた異物が排出されたことに気づきやすくする。【解決手段】貨幣入出金装置１は、紙幣投入口２１と、紙幣収納部と、硬貨収納部と、受皿と、紙幣落下防止部材と、異物排出経路５２とを備える。紙幣収納部は、上向きに開口した紙幣投入口２１から投入された紙幣を収納する。硬貨収納部は、硬貨を収納する。受皿は、紙幣投入口２１よりも下方に位置し、硬貨収納部から払い出された硬貨を受け止める。紙幣落下防止部材は、紙幣投入口２１に設けられ、紙幣以外の異物を通過させる。異物排出経路５２は、紙幣投入口２１から受皿まで連通し、紙幣落下防止部材を通過した異物を受皿へ導く。【選択図】図３
2014052731.tif 000002
【特許請求の範囲】
【請求項１】
上向きに開口した紙幣投入口と、
前記紙幣投入口から投入された紙幣を収納する紙幣収納部と、
硬貨を収納する硬貨収納部と、
前記紙幣投入口よりも下方に位置し、前記硬貨収納部から払い出された硬貨を受け止める受皿と、
前記紙幣投入口に設けられ、紙幣以外の異物を通過させる紙幣落下防止部材と、
前記紙幣投入口から前記受皿まで連通し、前記紙幣落下防止部材を通過した異物を前記受皿へ導く異物排出経路と
を備える貨幣入出金装置。
【請求項２】
異物が排出されたことを検知する検知手段と、
前記検知手段の検知結果に基づいて異物が排出されたことを報知する報知手段と
を備える請求項１に記載の貨幣入出金装置。
【請求項３】
前記検知手段は、前記異物排出経路を通る異物を検知するセンサを備える
請求項２に記載の貨幣入出金装置。
【請求項４】
前記検知手段は、前記受皿上の物体を検知するセンサを備える
請求項２または３に記載の貨幣入出金装置。
【請求項５】
前記検知手段は、前記受皿上にある物体が異物か硬貨かの判断を、入金後か出金後かによって行う
請求項４に記載の貨幣入出金装置。
【請求項６】
前記検知手段が異物を検知している間は硬貨の払い出しを待機する
請求項２〜５のいずれか１つに記載の貨幣入出金装置。
【発明の詳細な説明】
【技術分野】
【０００１】
本発明の実施形態は、貨幣入出金装置に関する。
【背景技術】
【０００２】
従来の紙幣および硬貨を取り込んで収納する貨幣入出金装置には、紙幣とともに取り込まれた異物を、異物受けへと導いて排出するものがある。
【発明の概要】
【発明が解決しようとする課題】
【０００３】
従来の異物受けは、視認性まで考慮されていないため、意図的に異物受けを覗き込んで異物の有無を確認する必要がある。このため、オペレータが異物の排出に気づかないことがある。
【課題を解決するための手段】
【０００４】
実施形態の貨幣入出金装置は、紙幣投入口と、紙幣収納部と、硬貨収納部と、受皿と、紙幣落下防止部材と、異物排出経路とを備える。紙幣収納部は、上向きに開口した紙幣投入口から投入された紙幣を収納する。硬貨収納部は、硬貨を収納する。受皿は、紙幣投入口よりも下方に位置し、硬貨収納部から払い出された硬貨を受け止める。紙幣落下防止部材は、紙幣投入口に設けられ、紙幣以外の異物を通過させる。異物排出経路は、紙幣投入口から受皿まで連通し、紙幣落下防止部材を通過した異物を受皿へ導く。
【図面の簡単な説明】
【０００５】
【図１】図１は、実施形態の貨幣入出金装置の外観を概略的に示す斜視図である。
【図２】図２は、実施形態の貨幣入出金装置の外観および一部内部構造を概略的に示す平面図である。
【図３】図３は、実施形態の貨幣入出金装置の構造を一部断面で示す右側面図である。
【図４】図４は、実施形態の貨幣入出金装置が備える受皿の外観および一部内部構造を概略的に示す平面図である。
【図５】図５は、実施形態の貨幣入出金装置の機能構成を示すブロック図である。
【図６】図６は、実施形態の紙幣入金時に行う処理の流れを概略的に示すフローチャートである。
【発明を実施するための形態】
【０００６】
以下、添付図面を参照して、貨幣入出金装置の実施形態を説明する。また、本実施形態では、スーパーマーケット等の店舗で使用されるＰＯＳ端末に接続されて用いられる場合を例に説明する。
【０００７】
図１は、本実施形態の貨幣入出金装置１の外観を概略的に示す斜視図である。図１には、オペレータにとっての手前側つまりオペレータが対向する側を手前に、オペレータにとっての奥側を奥にして示してある。以降、図面を用いた説明での上下、左右、手前、奥、正面等の表現は、オペレータが対面する面を正面としたときのものである。
図２は、貨幣入出金装置１の外観および一部内部構造を概略的に示す平面図である。図３は、貨幣入出金装置１の構造を、図２にＡ−Ａで示す位置における一部断面で示す右側面図である。
【０００８】
貨幣入出金装置１は、紙幣入出金部２と、硬貨入出金部３と、これらを収納する筐体４とを備えている。
ＰＯＳ端末１００（図５参照）は、紙幣入出金部２に電気的に接続されており、紙幣入出金部２との間で各種信号の送受信を行う。硬貨入出金部３は、紙幣入出金部２に電気的に接続されており、紙幣入出金部２との間で各種信号の送受信を行う。硬貨入出金部３とＰＯＳ端末１００との間の信号の送受信は、紙幣入出金部２を介して行う。
【０００９】
紙幣入出金部２は、紙幣投入口２１と、紙幣払出口２２と、紙幣収納部２３と、紙幣選別部（不図示）と、紙幣搬送系２４（一部図示）とを備えている。紙幣投入口２１および紙幣払出口２２は、筐体４の上面の手前側に設けられている。
紙幣収納部２３は筐体４の奥側に配されており、紙幣選別部は紙幣投入口２１から紙幣収納部２３までの間に位置している。紙幣搬送系２４は紙幣投入口２１から紙幣選別部および紙幣収納部２３を経て紙幣払出口２２まで紙幣を搬送するものである。
【００１０】
このような構成の紙幣入出金部２は、紙幣投入口２１から投入された紙幣を搬送しながら金種別に選別し金種別に紙幣収納部２３に収納する。そして、紙幣入出金部２は、紙幣の払い出し指示を伝える信号をＰＯＳ端末１００から受信すると、該当の金種の紙幣を紙幣収納部２３から搬送してきて紙幣払出口２２から払い出す。
【００１１】
硬貨入出金部３は、硬貨投入口３１と、硬貨払出口３２と、受皿３３と、硬貨収納部（不図示）と、硬貨選別部（不図示）と、硬貨搬送系（不図示）とを備えている。硬貨投入口３１は、筐体４の上面の手前側であって上述の紙幣投入口２１および紙幣払出口２２の右隣である位置に設けられている。硬貨払出口３２および受皿３３は、筐体４の正面に設けられている。
硬貨収納部は筐体４の奥側に配されており、硬貨選別部は硬貨投入口３１から硬貨収納部までの間に位置している。硬貨搬送系は硬貨投入口３１から硬貨選別部および硬貨収納部を経て硬貨払出口３２まで硬貨を搬送するものである。
【００１２】
このような構成の硬貨入出金部３は、硬貨投入口３１から投入された硬貨を搬送しながら金種別に選別し金種別に硬貨収納部に収納する。そして、硬貨入出金部３は、硬貨の払い出し指示を伝えるＰＯＳ端末１００からの信号を紙幣入出金部２を介して受信すると、該当の金種の硬貨を硬貨収納部から搬送してきて硬貨払出口３２から払い出す。受皿３３は、払い出された硬貨を受け止める。
【００１３】
図４は、貨幣入出金装置１が備える受皿３３の外観および一部内部構造を概略的に示す平面図である。受皿３３は、平坦部４１と、斜面部４２と、スリット４３と、受皿センサ４４とを有している。
平坦部４１は、受皿３３の底を形成する部分で、ほぼ平らな面である。斜面部４２は、平坦部４１を囲む斜面であって、平坦部４１に近いほど低く、また硬貨払出口３２から平坦部４１へ向かって低くなるよう形成されており、硬貨払出口３２から払い出された硬貨を平坦部４１へと案内する。
【００１４】
スリット４３は、一対で平坦部４１を幅方向に挟んで対向するように、斜面部４２の下端部に、硬貨の厚み程度の高さをもたせて、形成されている。
受皿センサ４４は、受皿３３上の硬貨や異物の存在を確認するものであって、対をなす発光部と受光部とを有している。発光部は、斜面部４２の硬貨を案内する面の裏面側に、発した光が進む道筋と一対のスリット４３を結ぶ仮想線とが合うように配される。受光部は、発光部が発してスリット４３から出て平坦部４１に沿って進んで対のスリット４３から入った光を受光する位置に配される。これにより、受皿センサ４４の発光部と受光部とは、一対のスリット４３を挟んで対向する。
ここで、スリット４３および受皿センサ４４は、受皿３３に複数対設けられ、図４では、３対図示している。
【００１５】
このような受皿センサ４４は、発光部が発した光を受光部が受光することによって、平坦部４１に硬貨（または異物）が存在しないと判断し、発光部が発した光を受光部が受光しなければ、平坦部４１に沿って進む光を遮るもの即ち硬貨（または異物）が存在すると判断する。
なお、本実施形態では、上記受皿センサ４４を、貨幣入出金装置１の出金に際しては釣銭取り忘れの確認に用い、貨幣入出金装置１の入金に際しては異物排出の確認に用いる。
【００１６】
ここで、本実施形態の紙幣入出金部２は、図２の平面図に示すように、筐体４の上面に設けられた紙幣投入口２１から投入された紙幣Ｘを横方向へ搬送するものである。そして、図２および図３に示すように、紙幣投入口２１の下方奥には、紙幣落下防止部材として機能する複数本のバー５１が配されるとともに、異物排出経路５２が設けられている。
各バー５１は、紙幣投入口２１から投入される紙幣Ｘの厚さ方向にほぼ平行であって、紙幣Ｘを支えて落下を妨げながら、紙幣Ｘとともに紙幣投入口２１に入り込んだ異物の落下を許容するものである。異物排出経路５２は、紙幣投入口２１の下方奥から受皿３３へ連通する経路であって、紙幣Ｘとともに紙幣投入口２１に入り込んでバー５１をすり抜けた異物を受皿３３上へと導くものである。
【００１７】
図５は、貨幣入出金装置１の機能構成を示すブロック図である。紙幣入出金部２は制御部２５を備え、硬貨入出金部３は制御部３４を備えている。
制御部２５，３４は、ＣＰＵ（Central  Processing  Unit）、ＲＯＭ（Read  Only  Memory）、ＲＡＭ（Random  Access  Memory）、Ｉ／Ｏ機器制御部、および通信Ｉ／Ｆ（いずれも不図示）等から構成される。ＲＯＭは、ＣＰＵが実行する各種プログラムや各種データを記憶するものである。ＲＡＭは、ＣＰＵが各種プログラムを実行する際に一時的にデータやプログラムを記憶するものである。
【００１８】
制御部２５は、上記各種プログラムに従って、紙幣入出金部２の各部を制御する。制御部３４は、上記各種プログラムに従って、硬貨入出金部３の各部を制御する。
また、制御部２５は、ＰＯＳ端末１００に接続されて、ＰＯＳ端末１００からの払い出し指示等を受信し、当該指示が硬貨入出金部３に関するものであれば、硬貨入出金部３に指示を伝達する。そして、制御部３４は、制御部２５に接続されて、制御部２５を介してＰＯＳ端末１００からの払い出し指示等を受信する。
【００１９】
ここで、紙幣入出金部２は、異物報知ブザー５３をさらに備えている。制御部２５には、異物報知ブザー５３が接続されており、制御部２５と異物報知ブザー５３とにより報知手段の一実施形態が構成される。また、制御部３４には、受皿センサ４４が接続されており、制御部３４と受皿センサ４４とにより検知手段の一実施形態が構成される。
【００２０】
次に、商品販売の手順に沿って貨幣入出金装置１の動作について説明する。図６は、本実施形態における紙幣入金時に行う処理の流れを概略的に示すフローチャートである。
紙幣投入口２１に紙幣が投入されると、制御部２５は、受皿センサ４４の検知状態をチェックする処理を行うよう制御部３４に指示を出す（ステップＳ１）。制御部３４から処理結果が返ってくると、処理結果に基づいて、制御部２５は、受皿センサ４４が遮光されていたか否かを判断する（ステップＳ２）。受皿センサ４４が遮光されていなかった場合には（ステップＳ２のＮｏ）、開始前遮光フラグを「０」にし（ステップＳ３）、遮光されていた場合には（ステップＳ２のＹｅｓ）、開始前遮光フラグを「１」にする（ステップＳ４）。ここで、開始前遮光フラグは、紙幣の入金前の受皿３３上の異物の有無を示す。
【００２１】
続いて、制御部２５は、入金計数処理（ステップＳ５）を計数が終了するまで繰り返す（ステップＳ６のＮｏ）。入金計数処理では、紙幣投入口２１から投入された紙幣の金額を計数する。計数が終了すると（ステップＳ６のＹｅｓ）、制御部２５は、開始前遮光フラグの値を確認し（ステップＳ７）、「１」の場合には（ステップＳ７のＹｅｓ）、入金計数前から受皿３３上に異物があったので、このまま本処理を終了する。また、開始前遮光フラグの値が「０」の場合には（ステップＳ７のＮｏ）、入金計数前に受皿３３上に異物がなかったので、制御部２５は、改めて、受皿センサ４４の検知状態をチェックする処理を行うよう制御部３４に指示を出す（ステップＳ８）。制御部３４から処理結果が返ってくると、処理結果に基づいて、制御部２５は、受皿センサ４４が遮光されていたか否かを判断する（ステップＳ９）。受皿センサ４４が遮光されていなかった場合には（ステップＳ９のＮｏ）、制御部２５は、本処理を終了する。
そして、受皿センサ４４が遮光されていた場合には（ステップＳ９のＹｅｓ）、制御部２５は、異物報知ブザー５３を鳴動させることによりオペレータに受皿３３の確認を促す警告を出して（ステップＳ１０）、本処理を終了する。
【００２２】
このように、本実施形態の貨幣入出金装置１によれば、紙幣に紛れ込んだ異物が受皿３３に排出されるため、異物が排出されたことを視認しやすくなるので、異物が排出されたことにオペレータが気づかずに客に返却し損ねるなどの不都合の発生を防止し、客への異物返却の確実性を高めることができる。
また、本実施形態によれば、異物が受皿３３に排出されると、異物を受皿センサ４４が検知し、異物報知ブザー５３を鳴動させることによって、オペレータに対して受皿３３の確認を促すことができるので、客への異物返却の確実性をさらに高めることができる。
【００２３】
なお、上記実施形態では、検知手段の構成に受皿センサ４４を採用したが、実施にあたっては、受皿センサ４４に替えて、異物排出経路５２に異物の通過を検知するセンサを設けてもよい。
また、上記実施形態では、制御部２５と異物報知ブザー５３とで報知手段を構成したが、実施にあたっては、ＰＯＳ端末１００が備えるモニタに異物が排出された旨を表示させる報知手段としてもよい。また、報知手段は、他の構成であっても、オペレータに報知できるものであればよい。
さらに、上記実施形態では、受皿３３上に異物があることを報知して終了としたが、実施にあたっては、受皿３３上の異物が取り除かれたことを受皿センサ４４の出力から確認するまで受皿３３上への釣銭硬貨の払い出しを待機する処理としてもよい。
【００２４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２５】
１：貨幣入出金装置、２：紙幣入出金部、３：硬貨入出金部、４：筐体、
２１：紙幣投入口、２２：紙幣払出口、２３：紙幣収納部、２４：紙幣搬送系、
２５：制御部、
３１：硬貨投入口、３２：硬貨払出口、３３：受皿、３４：制御部、
４１：平坦部、４２：斜面部、４３：スリット、４４：受皿センサ、
５１：バー、５２：異物排出経路、５３：異物報知ブザー、
１００：ＰＯＳ端末、Ｘ：紙幣
【先行技術文献】
【特許文献】
【００２６】
【特許文献１】特開２００１−０８４４２４号公報
【図１】
2014052731.tif 000003
【図２】
2014052731.tif 000004
【図３】
2014052731.tif 000005
【図４】
2014052731.tif 000006
【図５】
2014052731.tif 000007
【図６】
2014052731.tif 000008